(57)【要約】【課  題】簡単に変更することができるとともに安定して取り付けられる踵体を備えた靴を提供する。【解決手段】靴は、底板（２）から下方に突出する突出部（４）と、この突出部が嵌まり込む窪み部（５６）が設けられている踵体（３１）と、突出部に形成されている係止溝（２１ａ，２１ｂ）と、踵体にスライド可能に設けられているロック部材（３７）と、このロック部材に設けられ係止溝に係脱する係合部（４７ａ，４７ｂ）と、ロック部材をスライドさせて係合部を係止溝から離脱操作するための操作部（４６）とを備えている。そして、突出部はその略全体が窪み部に嵌まり込み、係合部は、ロック部材の先端が二股状に枝分かれして一対形成されているとともに、この一対の係合部同士の間隔は、先端に行くほど広くなっており、係止溝は、一対の係合部の各々が係合するように一対設けられている。【選択図】  図１
2004337183.tif 000002
【特許請求の範囲】
【請求項１】
靴の底板から下方に突出する突出部と、
この突出部が嵌まり込む窪み部が設けられている踵体と、
前記突出部に形成されている係止溝と、
前記踵体にスライド可能に設けられているロック部材と、
このロック部材に設けられ前記係止溝に係脱する係合部と、
前記ロック部材をスライドさせて係合部を係止溝から離脱操作するための操作部とを備え、
前記突出部はその略全体が前記窪み部に嵌まり込み、
前記係合部は、前記ロック部材の先端が二股状に枝分かれして一対形成されているとともに、この一対の係合部同士の間隔は、先端に行くほど広くなっており、
前記係止溝は、前記一対の係合部の各々が係合するように一対設けられていることを特徴とする靴。
【請求項２】
前記係止溝に係合する方向にロック部材を付勢する付勢手段を備えていることを特徴とする請求項１記載の靴。
【請求項３】
前記突出部には、玉用凹部が形成され、
前記踵体には、弾性体で付勢されているとともに前記突出部の玉用凹部に嵌まってガタつきを防止する玉が設けられていることを特徴とする請求項１または２記載の靴。
【発明の詳細な説明】
【０００１】
【発明の属する技術分野】
本発明は、ダンスシューズや婦人靴などの靴に関し、特に、靴の踵の取り付けに関する。
【０００２】
【従来の技術】
従来、一般的な靴の踵は接着剤やビスおよびクギなどで取り付けられ、簡単には交換することができなかった。
また、踵であるヒールの高さを簡易に変更することのできる靴が、たとえば特許文献１などに記載されている。この特許文献１の靴では、ヒールの高さを変更（高く）する際には、元々のヒールに追加のヒールを下側に着脱可能に取り付ける。そして、その取付構造は、１個の弾性フックを段部に引っ掛ける構造となっており、追加のヒールを取り外す際には、操作ボタンでフックを押し込んで、フックを段部から外している。
【０００３】
【発明が解決しようとする課題】
ところで、上記特許文献１などの靴では、ヒールの高さを変更することができるが、ヒールを高くした際には、元々のヒールと追加のヒールとの間の結合面が、新しく結合されたヒールの中間部分に形成され、見栄えが悪くなる。
また、追加のヒールは１個のフックで、１ヵ所（前側）のみが点で支持されており、極めて不安定であり、左右から力が加わると、追加のヒールが脱落するおそれがある。
さらに、フックを数カ所設けることも考えられるが、フック毎に操作ボタンを設ける必要があるため、追加のヒールを取り外す際に複数の操作ボタンを一斉に押圧しなければならず、追加のヒールの取り外し作業に手間がかかる。
【０００４】
【特許文献１】
特開平１０−２１５９１４号公報
【０００５】
本発明は、以上のような課題を解決するためのもので、簡単に変更することができるとともに安定して取り付けられる踵体を備えた靴を提供することを目的とする。
【０００６】
【課題を解決するための手段】
本発明の靴は、底板（２）から下方に突出する突出部（４）と、この突出部が嵌まり込む窪み部（５６）が設けられている踵体（３１）と、前記突出部に形成されている係止溝（２１ａ，２１ｂ）と、前記踵体にスライド可能に設けられているロック部材（３７）と、このロック部材に設けられ前記係止溝に係脱する係合部（４７ａ，４７ｂ）と、前記ロック部材をスライドさせて係合部を係止溝から離脱操作するための操作部（４６）とを備えている。そして、前記突出部はその略全体が前記窪み部に嵌まり込み、前記係合部は、前記ロック部材の先端が二股状に枝分かれして一対形成されているとともに、この一対の係合部同士の間隔は、先端に行くほど広くなっており、前記係止溝は、前記一対の係合部の各々が係合するように一対設けられている。
【０００７】
また、係止溝に係合する方向にロック部材を付勢する付勢手段（５１）を備えていることがある。
【０００８】
さらに、突出部には玉用凹部（２２）が形成され、踵体には弾性体（５９）で付勢されているとともに前記突出部の玉用凹部に嵌まってガタつきを防止する玉（５８）が設けられていることがある。
【０００９】
【発明の実施の形態】
次に、本発明における靴の実施の一形態を図１ないし図７を用いて説明する。
図１は本発明における靴の組み立て分解斜視図である。図２は図１の甲被の図示を省略した図である。図３は図１の上部の拡大図である。図４は結合部分の拡大断面図で、（ａ）はロック部材の係合部が突出部の係止溝に係合した状態の図、（ｂ）はロック部材の係合部が突出部の係止溝から離脱した状態の図である。図５はロック部材と突出部との係合を説明するための平面図で、（ａ）はロック部材の係合部が突出部の係止溝に係合した状態の図、（ｂ）はロック部材の係合部が突出部の係止溝から離脱した状態の図で、（ｃ）は変形例である。図６は婦人靴の踵体の種類の例を説明するための模式的な説明図で、（ａ）が通常の踵体を取り付けた靴の図、（ｂ）がローヒールタイプの踵体の図、（ｃ）が流行タイプの踵体の図、（ｄ）がハイヒールタイプの踵体の図、（ｅ）がワイドタイプの踵体の図、（ｆ）がワイド＆スパイクタイプの踵体の図である。図７は紳士靴の踵体の種類の例を説明するための模式的な説明図で、（ａ）は皮底タイプの踵体を取り付けた靴の図、（ｂ）が雨天用ゴム底タイプの踵体の図、（ｃ）が氷結用スパイク底タイプの踵体の図である。なお、図１および図２においては、ロック用バネやビスなどが図示されていないとともに、下側に行くほど拡大した状態で図示されている。また、図４において、突出部は一部を切り欠いた状態で図示されている。
【００１０】
図１および図２において、足の甲を覆う甲被１の内側に底板２は配置されるとともに、甲被１の下端の周縁部が底板２の周縁部に取り付けられる。この底板２を挟んで、上側に取付板３が、また、下側に突出部４が配置されている。取付板３にはボルト用貫通孔６が形成され、この周縁部７はハッチングで少し黒く図示されており、下方になだらかに凹んでいる。そして、底板２には、取付板３のボルト用貫通孔６に対応してボルト用貫通孔８が形成されている。
【００１１】
突出部４は略三角柱をしており、上下面、左右側面および後面を有している。
突出部４にはボルト用貫通孔１１が形成されている。そして、突出部４の上面におけるボルト用貫通孔１１の周縁部１２はハッチングで少し黒く図示されており、下方になだらかに凹んでいる。また、突出部４の下面には、スプリングワッシャー１６およびナット１７の嵌まるナット用凹部１８が形成されている。このナット用凹部１８は図１において分かり易いようにハッチングで少し黒く図示されている。
【００１２】
そして、取付板３と突出部４とで底板２を挟んだ状態にし、上側からボルト１９の先端をボルト用貫通孔６，８，１１に挿入し、ナット用凹部１８に嵌まっているワッシャー１６およびナット１７に螺合させて、底板２に突出部４を取り付ける。この様にして、図４に図示するように、突出部４は底板２から下方に突出した状態で設けられる。
【００１３】
また、突出部４の左右側面には各々係止溝２１ａ，２１ｂが形成されている。さらに、突出部４の後面には、略半球状の玉用凹部２２が形成されている。
【００１４】
この突出部４に踵体３１が着脱自在に取り付けられる。この踵体３１は、踵本体３２、この踵本体３２のボックス用凹部３３に嵌まるボックス３６、このボックス３６にスライド可能に設けられるロック部材３７、および、踵本体３２の凹部３３の上面開口を蓋する上蓋３８を具備している。上蓋３８には、突出部４の挿入される開口４１および、複数のビス用孔４２が形成されている。
【００１５】
ロック部材３７の前端には、操作部としてのツマミ部４６が設けられている。また、ロック部材３７の後部は板状をしているとともに、二股状に枝分かれして係合部４７ａ，４７ｂが左右一対形成され、この一対の係合部４７ａ，４７ｂ同士の間隔は略Ｖ字状に、先端（この実施の形態では後側）に行くほど広くなっている。さらに、ツマミ部４６と係合部４７ａ，４７ｂとの間には、バネ保持部４９が設けられている。このバネ保持部４９はロック部材３７に一体に形成されているとともに、内部には付勢手段としてのロック部材用バネ５１（図４参照）が収納されている。ロック部材用バネ５１の先端はバネ保持部４９から飛び出して、ボックス３６の内面に当接しており、ロック部材用バネ５１は常時ロック部材３７を後方（すなわち、係合部４７ａ，４７ｂが係止溝２１ａ，２１ｂに係合する方向）に付勢している。
【００１６】
ボックス３６には、突出部４が嵌まり込む略三角形状の窪み部５６、および、バネ保持部４９が前後方向にスライド可能に嵌まり込むバネ保持部収納空間５７が形成されている。また、突出部４が窪み部５６に嵌まり込んだ状態において、突出部４の玉用凹部２２に係合する玉５８、および、この玉５８を玉用凹部２２側に付勢する弾性体としての玉用バネ５９が、ボックス３６に設けられている。
そして、玉５８が玉用凹部２２に嵌まることにより、突出部４と踵体３１との結合のガタつきを極力防止している。
さらに、突出部４が窪み部５６から取り外された際に、玉５８がボックス３６から落下しないように落下防止部がボックス３６に設けられている。そして、ボックス３６の上面には、上蓋３８と結合するためのビス孔６１が４個形成されている。
【００１７】
踵本体３２のボックス用凹部３３の左右には段部６６が設けられ、この段部６６に上蓋３８が載置され、図示しないビスでビス止めされる。ビス止めの位置６７を×で示している。また、踵本体３２の上面には、ロック部材３７がスライド可能に嵌まるスライド用溝６８が形成されている。さらに、踵本体３２の前面には、ロック部材３７のツマミ部４６を引出し可能に収納する収納部６９が形成されている。
【００１８】
踵体３１の組み立ては、下記の様にして行われる。
まず初めに、ボックス３６に玉用バネ５９および玉５８をセットする。そして、ボックス３６のバネ保持部収納空間５７に、ロック部材用バネ５１（図４参照）が取り付けられたロック部材３７のバネ保持部４９を嵌め込む。その上から上蓋３８を載せて、ビス（図示せず）の先端を上蓋３８のビス用孔４２に挿入してボックス３６のビス孔６１に螺合させて上蓋３８をボックス３６に取り付ける。ついで、このボックス３６を、踵本体３２のボックス用凹部３３に嵌め込み、ビス（図示せず）の先端を上蓋３８のビス用孔４２に挿入して踵本体３２のビス止めの位置６７にねじ込み、ボックス３６および上蓋３８を踵本体３２に取り付ける。以上の工程で、踵体３１が組み立てられる。
【００１９】
そして、踵体３１を靴本体の突出部４に取り付ける際には、ロック部材用バネ５１の付勢力に抗してツマミ部４６を引っ張り、ロック部材３７の係合部４７ａ，４７ｂを前方に移動させる。ついで、突出部４を、上側から上蓋３８の開口４１に挿入して踵体３１の窪み部５６に嵌め込み、ツマミ部４６から手を離す。すると、ロック部材３７の係合部４７ａ，４７ｂはロック部材用バネ５１の付勢力で後方に移動して、突出部４の係止溝２１ａ，２１ｂに係合し、図４（ａ）に図示する状態となる。この図４（ａ）の状態では、突出部４の下面が、ボックス３６の窪み部５６の内底面（すなわち、内側の底面）に当接している。したがって、人の荷重は突出部４からボックス３６に加わっており、ロック部材３７には全く加わらないので、極めて安全である。
【００２０】
一方、踵体３１を靴本体の突出部４から取り外す際には、図４（ａ）の状態からロック部材用バネ５１の付勢力に抗してツマミ部４６を引っ張り、図４（ｂ）に図示するように、ロック部材３７の係合部４７ａ，４７ｂを前方に移動させる。ついで、突出部４を、上方に引っ張り上げる。
【００２１】
そして、踵体３１を図６および図７に図示するように、靴本体に対して、複数のタイプのものを用意しておくと、適宜必要に応じて取り換えて、種々の用途に使用することができる。
【００２２】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
【００２３】
（１）実施の形態では、係止溝２１ａ，２１ｂはＶ字状に配置されているが、一対の係止溝２１ａ，２１ｂの間に、図５（ｃ）に図示するように第３の係止溝２１ｃを設けることも可能である。この場合には、図５（ｃ）に図示するように、一対の係合部４７ａ，４７ｂの間に第３の係合部４７ｃが設けられる。
（２）ツマミ部４６はロック部材３７の本体とは別体に形成されていることも可能である。
（３）操作部（ツマミ部４６）等の形状や構造などは適宜変更可能である。
（４）突出部４などの取付構造などは適宜変更可能である。
（５）ボックス３６を設けないで、踵本体３２に直接、窪み部５６を設けることも可能である。
（６）実施の形態では、踵体３１は上面と下面とが略平行に形成されているが、下面を上面に対して傾斜させることも可能である。たとえば、外側（すなわち右側の靴では右側）の高さを内側の高さよりも大きく形成させることも可能である。
【００２４】
【発明の効果】
本発明によれば、踵体が着脱可能となっているので、適宜用途に合わせて踵体を簡単に交換することができる。そして、靴の底板から突出する突出部は、その略全体が踵体の窪み部に嵌め込まれるので、結合面が踵の中間部になく見栄えが良好となる。また、係合部は二股状に枝分かれして一対形成されており、操作部を操作すると、一度に２ヵ所で係脱が行われる。したがって、操作部は１個でも、２ヵ所で安定して踵体を支持することができる。さらに、係合部と係止溝とにより、点ではなく線状に支持されているため、踵体をより安定して取り付けることができる。しかも、この一対の係合部同士の間隔は、先端に行くほど広くなっており、図５に図示するように、係合部と係止溝との係脱に要するロック部材のスライド量を極力小さくすることができる。その結果、操作部を少し操作するだけで、係合部を係止溝から離脱させることができる。
【００２５】
また、付勢手段でロック部材を係止溝に係合する方向に付勢している場合には、自動的に係合部を係止溝に係合させることができるとともに、靴を履いている最中に踵体が不用意に脱落することを極力防止することができる。
【００２６】
さらに、弾性体で付勢されている玉が、玉用凹部に嵌まるように構成されている場合には、踵体の結合部分におけるガタつきを極力防止することができる。
【図面の簡単な説明】
【図１】図１は本発明における靴の組み立て分解斜視図である。
【図２】図２は図１の甲被の図示を省略した図である。
【図３】図３は図１の上部の拡大図である。
【図４】図４は結合部分の拡大断面図で、（ａ）はロック部材の係合部が突出部の係止溝に係合した状態の図、（ｂ）はロック部材の係合部が突出部の係止溝から離脱した状態の図である。
【図５】図５はロック部材と突出部との係合を説明するための平面図で、（ａ）はロック部材の係合部が突出部の係止溝に係合した状態の図、（ｂ）はロック部材の係合部が突出部の係止溝から離脱した状態の図で、（ｃ）は変形例である。
【図６】図６は婦人靴の踵体の種類の例を説明するための模式的な説明図で、（ａ）が通常の踵体を取り付けた靴の図、（ｂ）がローヒールタイプの踵体の図、（ｃ）が流行タイプの踵体の図、（ｄ）がハイヒールタイプの踵体の図、（ｅ）がワイドタイプの踵体の図、（ｆ）がワイド＆スパイクタイプの踵体の図である。
【図７】図７は紳士靴の踵体の種類の例を説明するための模式的な説明図で、（ａ）は皮底タイプの踵体を取り付けた靴の図、（ｂ）が雨天用ゴム底タイプの踵体の図、（ｃ）が氷結用スパイク底タイプの踵体の図である。
【符号の説明】
２  靴の底板
４  突出部
２１ａ  係止溝
２１ｂ  係止溝
２２  玉用凹部
３１  踵体
３７  ロック部材
４６  操作部（ツマミ部）
４７ａ  係合部
４７ｂ  係合部
５１  ロック部材用バネ（付勢手段）
５６  窪み部
５８  玉
５９  玉用バネ（弾性体）
【図１】
2004337183.tif 000003
【図２】
2004337183.tif 000004
【図３】
2004337183.tif 000005
【図４】
2004337183.tif 000006
【図５】
2004337183.tif 000007
【図６】
2004337183.tif 000008
【図７】
2004337183.tif 000009